(57)【特許請求の範囲】
【請求項１】
記録情報を記録する記録領域と、
前記記録情報の少なくとも一部である第１形式の第１記録情報が記録済みである領域の配置情報を管理する第１管理情報を記録する第１管理情報記録領域と、
前記記録情報の少なくとも他部である前記第１形式と異なる第２形式の第２記録情報が記録済みである領域の配置情報を管理すると共に、前記第１管理情報と異なる第２管理情報を記録する第２管理情報記録領域と、
前記記録情報が未記録状態である空き領域の配置情報を管理する空き領域管理情報を記録する空き領域管理情報記録領域と、
前記第１管理情報、前記第２管理情報、及び、前記空き領域管理情報のうち少なくとも一つをポインタ情報によって指定することが可能な静的管理情報を記録するための静的管理情報記録領域と
を備え、
前記第１管理情報、前記第２管理情報、及び、前記空き領域管理情報は、記録情報の一部としてみなし、前記静的管理情報はそれら管理情報へのポインタ情報だけを持ち、前記空き領域管理情報が前記第１記録情報及び前記第２記録情報の記録の際に共有され、前記記録領域を静的又は動的に区分けするパーティションは設定されないことを特徴とする情報記録媒体。
【請求項２】
前記第１記録情報が記録済みである領域と前記第２記録情報が記録済みである領域とは、前記記録領域内に混在することを特徴とする請求項１に記載の情報記録媒体。
【請求項３】
請求項１に記載の情報記録媒体に前記記録情報を記録するための情報記録装置であって、
前記記録情報を記録する記録手段と、
前記空き領域管理情報に基づいて、前記第１記録情報を記録するように前記記録手段を制御する第１制御手段と、
前記空き領域管理情報に基づいて、前記第２記録情報を記録するように前記記録手段を制御する第２制御手段と、
前記記録情報の記録が行われる又は記録が行なわれた場合に、前記空き領域管理情報を更新する空き領域更新手段と、
前記第１記録情報の記録が行われた場合に、前記第１管理情報を更新する第１更新手段と、
前記第２記録情報の記録が行われた場合に、前記第２管理情報を更新する第２更新手段と
を備えることを特徴とする情報記録装置。
【請求項４】
前記空き領域更新手段は、前記空き領域管理情報が更新された場合に、前記第１更新手段及び前記第２更新手段に、前記記録情報が記録済みである領域の配置情報を通知することを特徴とする請求項３に記載の情報記録装置。
【請求項５】
ユーザにより前記第１記録情報のデータ量と、前記第２記録情報のデータ量との割合を設定する仮想パーティション設定手段を更に備えることを特徴とする請求項３又は４に記載の情報記録装置。
【請求項６】
前記記録手段は、
前記第１記録情報の記録を行う第１記録手段と、
前記第２記録情報の記録を行う第２記録手段と
を有し、
前記制御手段は、前記空き領域管理情報が示す未記録状態の領域に対して、前記第１記録手段及び前記第２記録手段が、排他的に記録を行うように制御することを特徴とする請求項３に記載の情報記録装置。
【請求項７】
前記空き領域管理情報は、前記第１更新手段及び前記第２更新手段によって更新可能なデータ構造であり、
前記第１更新手段及び前記第２更新手段は、前記第１記録情報の記録、及び、前記第２記録情報の記録が相前後して行なわれる場合、更に、前記空き領域管理情報を夫々更新することを特徴とする請求項３に記載の情報記録装置。
【請求項８】
請求項１に記載の情報記録媒体に前記記録情報を記録するための情報記録装置であって、
前記記録情報を削除する削除手段と、
前記第１管理情報に基づいて、前記第１記録情報を削除するように前記削除手段を制御する第１制御手段と、
前記第２管理情報に基づいて、前記第２記録情報を削除するように前記削除手段を制御する第２制御手段と、
前記記録情報の削除が行われる又は削除が行なわれた場合に、前記空き領域管理情報を更新する空き領域更新手段と、
前記第１記録情報の削除が行われた場合に、前記第１管理情報を更新する第１更新手段と、
前記第２記録情報の削除が行われた場合に、前記第２管理情報を更新する第２更新手段と
を備えることを特徴とする情報記録装置。
【請求項９】
請求項１に記載の情報記録媒体に前記記録情報を記録する記録手段を備えた情報記録装置における情報記録方法であって、
前記空き領域管理情報に基づいて、前記第１記録情報を記録するように前記記録手段を制御する第１制御工程と、
前記空き領域管理情報に基づいて、前記第２記録情報を記録するように前記記録手段を制御する第２制御工程と、
前記記録情報の記録が行われる又は記録が行なわれた場合に、前記空き領域管理情報を更新する空き領域更新工程と、
前記第１記録情報の記録が行われた場合に、前記第１管理情報を更新する第１更新工程と、
前記第２記録情報の記録が行われた場合に、前記第２管理情報を更新する第２更新工程と
を備えることを特徴とする情報記録方法。
【請求項１０】
請求項１に記載の情報記録媒体に前記記録情報を削除するための削除手段を備えた情報記録装置における情報記録方法であって、
前記第１管理情報に基づいて、前記第１記録情報を削除するように前記削除手段を制御する第１制御工程と、
前記第２管理情報に基づいて、前記第２記録情報を削除するように前記削除手段を制御する第２制御工程と、
前記記録情報の削除が行われる又は削除が行なわれた場合に、前記空き領域管理情報を更新する空き領域更新工程と、
前記第１記録情報の削除が行われた場合に、前記第１管理情報を更新する第１更新工程と、
前記第２記録情報の削除が行われた場合に、前記第２管理情報を更新する第２更新工程と
を備えることを特徴とする情報記録方法。
【請求項１１】
請求項１に記載の情報記録媒体に記録された前記記録情報を再生する再生手段を備えた情報再生装置であって、
再生すべき記録情報として、前記第１記録情報、及び、前記第２記録情報のうちいずれか一方を選択する選択手段と、
（ｉ）前記第１記録情報が選択された場合、前記第１管理情報に基づくと共に、（ｉｉ）前記第２記録情報が選択された場合、前記第２管理情報に基づいて、再生するように前記再生手段を制御する再生制御手段と
を備えることを特徴とする情報再生装置。
【請求項１２】
請求項１に記載の情報記録媒体に記録された前記記録情報を再生する再生手段を備えた情報再生装置における情報再生方法であって、
再生すべき記録情報として、前記第１記録情報、及び、前記第２記録情報のうちいずれか一方を選択する選択工程と、
（ｉ）前記第１記録情報が選択された場合、前記第１管理情報に基づくと共に、（ｉｉ）前記第２記録情報が選択された場合、前記第２管理情報に基づいて、再生するように前記再生手段を制御する再生制御工程と
を備えることを特徴とする情報再生方法。
【請求項１３】
請求項３に記載の情報記録装置に備えられたコンピュータを制御する記録制御用のコンピュータプログラムであって、該コンピュータを、前記記録手段、前記第１制御手段、前記第２制御手段、前記空き領域更新手段、前記第１更新手段、及び、前記第２更新手段のうち少なくとも一部として機能させることを特徴とするコンピュータプログラム。
【請求項１４】
請求項８に記載の情報記録装置に備えられたコンピュータを制御する記録制御用のコンピュータプログラムであって、該コンピュータを、前記削除手段、前記第１制御手段、前記第２制御手段、前記空き領域更新手段、前記第１更新手段、及び、前記第２更新手段のうち少なくとも一部として機能させることを特徴とするコンピュータプログラム。
【請求項１５】
請求項１１に記載の情報再生装置に備えられたコンピュータを制御する再生制御用のコンピュータプログラムであって、該コンピュータを、前記再生手段、前記選択手段、及び、再生制御手段のうち少なくとも一部として機能させることを特徴とするコンピュータプログラム。
【発明の詳細な説明】
【技術分野】
【０００１】
本発明は、例えば、アナログ放送や、デジタル放送によって搬送される放送番組を受信すると共に、例えば、ハードディスクやＤＶＤ等の情報記録媒体に該放送番組を記録することが可能な当該情報記録媒体、情報記録装置及び方法、情報再生装置及び方法、並びにコンピュータプログラムの技術分野に関する。
【背景技術】
【０００２】
ハードディスクドライブ（以下、適宜「ＨＤＤ」と称す）やＤＶＤドライブ等を備え、各種の情報記録媒体に書き込み可能なＤＶＤレコーダ等の情報記録再生装置において、以下の２種類の形式の動画が、例えば、ハードディスク（ＨＤ）やＤＶＤ等の情報記録媒体に記録される。【０００３】
１種類目の動画は、従来のアナログ地上波によって搬送される放送番組が受信され、該放送番組が、高能率符号化技術であるＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）規格に基づいて、変換されたプログラムストリーム形式（以下、適宜「ＰＳ形式」と称す）の動画である。他方、２種類目の動画は、ｉ．Ｌｉｎｋ等に代表される次世代の高速なＳＣＳＩ（Small Computer System Interface）規格であるＩＥＥＥ（Institute of Electrical and Electronic Engineers）１３９４を経由して、ディジタル方式のテレビジョン放送（以下適宜「デジタル放送」と称す）によって、搬送される放送番組を構成する、ＨＤ等の情報記録媒体に直接的に記録可能なトランスポートストリーム形式（以下、適宜「ＴＳ形式」と称す）の動画である。【０００４】
このように、２種類の異なる形式の動画が、ＨＤやＤＶＤ等の情報記録媒体において、混在するため、２種類の動画が夫々記録されたアドレス等の位置情報を含むと共に、該位置情報がまとめられた配置管理情報も別々にした方が好ましい。何故ならば、情報記録再生装置による各種動作が制御し易いと共に、これらの動画の記録、再生、及び、編集等も容易であるからである。【０００５】
しかしながら、情報記録再生装置によって、２種類の形式の動画に対応した２つの配置管理情報に基づいて、これらの動画の記録動作を夫々制御してＨＤ等の情報記録媒体に記録した場合、２種類の形式の動画のうち一方が他方の動画を上書きしたり、破壊したりして再生を不可能にする可能性がある。【０００６】
そこで、情報記録媒体において、予め２つの記録領域を区分けするパーティション、所謂、仕切りを設定し、それら２つの区分けされた記録領域の範囲内で、複数種類の形式の動画の記録を夫々管理する方法が考案されている。特に、特許文献１においては、情報記録再生装置の制御手段によって、これらの動画に夫々対応される複数の記録領域を区分けするパーティションのアドレスを動的に設定する技術が開示されている。【０００７】
また、２種類の形式の動画のうち一方の記録動作が、他方に対応される配置管理情報に基づいて、制御されるという技術も考案されている。【０００８】
【特許文献１】特開平８−６３３７６号
【発明の開示】
【発明が解決しようとする課題】
【０００９】
しかしながら、上述した技術によれば、最初にパーティションによって設定された記録領域の大きさを、これら複数種類の動画の記録の後に、変更する場合、記録されている全ての動画を消去するか、或いは、夫々の記録領域を再構築する必要が生じてしまう。また、一方の形式（例えば、ＴＳ形式）の動画が記録されている記録領域が、全て記録済みの状態となった場合、他方の形式（例えば、ＰＳ形式）の動画が記録されている記録領域に未記録状態の領域がある、言い換えると、ＨＤやＤＶＤ等の情報記録媒体に空き領域があるにも関わらず一方の形式の動画の記録をこれ以上行うことができないという技術的な問題点がある。仮に、動的にパーティションを設定する特許文献１においても、複数の区分けされた記録領域の大きさを変更する場合、パーティションから空き領域が連続しているという条件が必要であるという技術的な問題点がある。このように、ＨＤ等の情報記録媒体の記録領域を効率的に利用することができないという技術的な問題点がある。【００１０】
また、異なる２種類の形式の動画の記録動作を、共通の配置管理情報に基づく制御は、大変複雑であり、冗長性が高いという技術的な問題点もある。【００１１】
本発明は、例えば、上述した問題点に鑑みなされたものであり、例えば、情報記録媒体に、複数の形式の記録情報を記録する場合に、当該情報記録媒体の記録領域をより効率的に利用することを可能ならしめる情報記録媒体、情報記録装置及び方法、情報再生装置及び方法、並びにコンピュータをこのような情報記録装置、及び、情報再生装置として機能させるコンピュータプログラムを提供することを課題とする。
【課題を解決するための手段】
【００１２】
（情報記録媒体）
本発明の情報記録媒体は上記課題を解決するために、記録情報を記録するための記録領域と、前記記録情報の少なくとも一部である第１形式（ＰＳ形式）の第１記録情報が記録済みである領域の配置情報（アドレス情報）を管理する第１管理情報を記録するための第１管理情報記録領域と、前記記録情報の少なくとも他部である第２形式（ＴＳ形式）の第２記録情報が記録済みである領域の配置情報（アドレス情報）を管理する第２管理情報を記録するための第２管理情報記録領域と、前記記録情報が未記録状態である空き領域の配置情報（アドレス情報）を管理する空き領域管理情報を記録するための空き領域管理情報記録領域とを備える。【００１３】
本発明の情報記録媒体によれば、記録情報が未記録状態である空き領域の全てのアドレス情報等の配置情報を管理する空き領域管理情報は、空き領域管理情報記録領域に記録可能である。また、例えば、ＰＳ形式である第１形式の第１記録情報が記録済みである領域の配置情報を管理する第１管理情報が第１管理情報記録領域に記録可能である。また、例えば、ＴＳ形式である第２形式の第２記録情報が記録済みである領域の配置情報を管理する第２管理情報が第２管理情報記録領域に記録可能である。尚、これら複数の形式の記録情報を夫々記録するための記録領域を静的又は動的に区分けするパーティション、所謂、仕切りは設定されない。【００１４】
従って、後述される情報記録装置によって複数の形式の記録情報を夫々記録する際に、この空き領域管理情報が共有される。と共に、情報記録装置によって、第１管理情報、及び、第２管理情報が、夫々更新される。【００１５】
その結果、本発明によれば、例えば、ＨＤやＤＶＤ等の情報記録媒体に、複数の形式の記録情報を記録する場合に、当該情報記録媒体の記録領域をより効率的に利用するが可能となる。【００１６】
本発明では、第１記録情報及び第２記録情報の記録について説明したが、これら２種類に加えて、例えば、ＭＰＥＧ２やＭＰＥＧ４の規格に準拠したインターネット経由で放送されるコンテンツ等を含む３種類以上の形式の記録情報を、記録するように構成してもよい。【００１７】
本発明では、本発明に係る第１及び第２管理情報、並びに、空き領域管理情報は、複数の情報記録媒体に亘って第１及び第２記録情報が記録済みである領域の配置情報、並びに、空き領域の配置情報を夫々管理することが可能である。【００１８】
本発明の情報記録装置の一の態様は、前記第１記録情報が記録済みである領域と前記第２記録情報が記録済みである領域とは、前記記録領域内に混在する。【００１９】
この態様によれば、記録領域内において、第１記録情報が記録済みである領域と、第２記録情報が記録済みである領域とを混在させても、後述される情報記録装置によって、空き領域を管理することが可能である。【００２０】
その結果、当該情報記録媒体の記録領域をより効率的に利用するが可能となる。【００２１】
本発明の情報記録装置の他の態様は、前記第１管理情報、前記第２管理情報、及び、前記空き領域管理情報のうち少なくとも一つをポインタ情報によって指定することが可能な静的管理情報を記録するための静的管理情報記録領域を更に備える。【００２２】
この態様によれば、第１管理情報、第２管理情報、及び、空き領域管理情報の少なくとも一つを統括的に管理する静的管理情報のデータ量が増大するのを可能な限り抑制することが可能となる。より詳細には、第１管理情報、第２管理情報、及び、空き領域管理情報等の各種の記録領域を管理する各種の管理情報を、例えば、ＨＤ等の情報記録媒体の記録領域全体に対して保持すると、それらのデータ量は無視できない程度に増大してしまう。よって、各種の管理情報もコンテンツ等の記録情報の一部としてみなし、静的管理情報はそれら管理情報へのポインタ情報だけを持つようなデータ構造にすることで、静的管理情報のデータ量が増大するのを可能な限り抑制することが可能となる。その結果、静的管理情報が記録される静的管理情報記録領域をより効率的に使用することができる。ひいては、静的管理情報記録領域自体のデータ量をより小さくすることが可能となる。【００２３】
（情報記録装置）
本発明の第１情報記録装置は上記課題を解決するために、請求項１に記載の情報記録媒体（ＨＤ、ＤＶＤ）に前記記録情報を記録するための情報記録装置であって、前記記録情報を記録する記録手段と、前記空き領域管理情報に基づいて、前記第１記録情報を記録するように前記記録手段を制御する第１制御手段と、前記空き領域管理情報に基づいて、前記第２記録情報を記録するように前記記録手段を制御する第２制御手段と、前記記録情報の記録が行われる又は記録が行なわれた場合に、前記空き領域管理情報を更新する空き領域更新手段と、前記第１記録情報（ＰＳ）の記録が行われた場合に、前記第１管理情報を更新する第１更新手段と、前記第２記録情報（ＴＳ）の記録が行われた場合に、前記第２管理情報を更新する第２更新手段とを備える。【００２４】
本発明の第１情報記録装置によれば、（ｉ）記録情報が未記録状態である空き領域の全ての配置情報を管理する空き領域管理情報を更新する空き領域更新手段と、（ｉｉ）例えば、ＰＳ形式である第１形式の第１記録情報が記録済みである領域の配置情報（アドレス情報）を管理する第１管理情報を更新する第１更新手段と、（ｉｉｉ）例えば、ＴＳ形式である第２形式の第２記録情報が記録済みである領域の配置情報（アドレス情報）を管理する第２管理情報を更新する第２更新手段とが、別々に制御されている。更に、空き領域管理情報は、第１制御手段及び第２制御手段において共有される。更に、加えて、複数の形式の記録情報を夫々記録するための記録領域を静的又は動的に区分けするパーティション、所謂、仕切りは設定されない。【００２５】
従って、第１制御手段の制御下で、この空き領域管理情報に基づいて、記録手段によって、例えば、ＰＳ形式の第１記録情報が記録される。ここに、「空き領域管理情報に基づいて」とは、記録すべき記録情報のデータ量と空き領域のデータ量とを比較して記録可能か否かを判定することを意味するようにしてもよい。そして、第１記録情報の記録が行われた場合、第１更新手段によって、第１管理情報が更新される。【００２６】
と同時に又は相前後して、第２制御手段の制御下で、この空き領域管理情報に基づいて、記録手段によって、例えば、ＴＳ形式の第２記録情報が記録される。そして、第２記録情報の記録が行われた場合、第２更新手段によって、第２管理情報が更新される。【００２７】
仮に、（ｉ）記録情報が未記録状態である空き領域の全ての配置情報を管理する空き領域管理情報を更新する空き領域更新手段と、（ｉｉ）例えば、ＰＳ形式である第１形式の第１記録情報が記録済みである領域の配置情報（アドレス情報）を管理する第１管理情報を更新する第１更新手段と、（ｉｉｉ）例えば、ＴＳ形式である第２形式の第２記録情報が記録済みである領域の配置情報（アドレス情報）を管理する第２管理情報を更新する第２更新手段とが、別々に制御されていない場合、パーティション、所謂、仕切りによって、両方の記録情報に夫々対応した記録領域の大きさを最初に設定する必要性が生じてしまう。よって、最初に設定した記録領域の大きさを、これら２種類の動画の記録の後に、変更する場合、記録されている全ての動画を消去するか、或いは、夫々の記録領域を再構築する必要が生じてしまう。仮に、動的にパーティションを設定する特許文献１においても、複数の区分けされた記録領域の大きさを変更する場合、パーティションから空き領域が連続しているという条件が必要であった。また、パーティションが存在した場合、一方の形式（例えば、ＴＳ形式）の動画が記録されている記録領域が、全て記録済みの状態となった場合、他方の形式（例えば、ＰＳ形式）の動画が記録されている記録領域に未記録状態の領域がある、言い換えると、ＨＤやＤＶＤ等の情報記録媒体に空き領域があるにも関わらず一方の形式（ＴＳ形式）の動画の記録をこれ以上行うことができなってしまう。情報記録媒体の記録領域を効率的に利用することができなってしまう。【００２８】
これに対して、本発明によれば、例えば、分散して偏在している空き領域等に関する全ての空き領域の配置情報を管理する空き領域管理情報は、第１制御手段及び第２制御手段において共有される。と共に、複数の形式の記録情報を夫々記録するための記録領域を静的又は動的に区分けするパーティション、所謂、仕切りは設定されない。【００２９】
よって、空き領域が分散して偏在する、又は、連続して存在しているに関係なく全ての空き領域に対して、例えば、ＰＳ形式の第１記録情報、又は、ＴＳ形式の第２記録情報等の任意の形式の記録情報を、特定の空き領域を指定することなく自由に記録することが可能である。【００３０】
その結果、本発明によれば、例えば、ＨＤやＤＶＤ等の情報記録媒体に、複数の形式の記録情報を記録する場合に、当該情報記録媒体の記録領域をより効率的に利用するが可能となる。【００３１】
本発明の第１情報記録装置の一の態様は、前記空き領域更新手段は、前記空き領域管理情報が更新された場合に、前記第１更新手段及び前記第２更新手段に、前記記録情報が記録済みである領域の配置情報を通知する。【００３２】
この態様によれば、空き領域管理情報が、第１制御手段及び第２制御手段に加えて、第１更新手段及び第２更新手段において、より的確且つ迅速に共有されることが可能となる。【００３３】
本発明の第１情報記録装置の他の態様は、ユーザにより前記第１記録情報（ＰＳ）のデータ量と、前記第２記録情報（ＴＳ）のデータ量との割合を設定する仮想パーティション設定手段を更に備える。【００３４】
この態様によれば、セクタ番号等のアドレス情報を含む配置情報に基づく実際のパーティションと異なり、ユーザにより設定されたデータ量の配分に基づいた仮想パーティションが設定されることによって、一方の形式の記録情報が空き領域の全てを消費することを抑制することが可能となる。より具体的には、ＴＳ形式の動画コンテンツを大量に録画した場合でも、ＰＳ形式のコンテンツを記録するための空き領域を確保することができる。よって、ＰＳ形式のコンテンツの予約録画等で録画ができなくなることを未然に回避することが可能となる。【００３５】
尚、第１制御手段は、仮想パーティション設定手段によって設定された第１記録情報のデータ量から、空き領域管理情報に基づいた記録済み状態の記録領域のデータ量を差し引いた残りのデータ量と、記録すべきデータ量とを比較して記録可能か否かを判断するように構成してもよい。尚、第２制御手段についても同様である。【００３６】
本発明の第１情報記録装置の他の態様は、前記記録手段は、前記第１記録情報の記録を行う第１記録手段と、前記第２記録情報の記録を行う第２記録手段とを有し、前記制御手段は、前記空き領域管理情報が示す未記録状態の領域に対して、前記第１記録手段及び前記第２記録手段が、排他的に記録を行うように制御する。【００３７】
この態様によれば、空き領域管理情報は、排他的制御（セマフォ）に基づいて、管理されている。よって、第１及び第２記録手段が同一位置の空き領域に対して同時に記録しようしている場合でも、空き領域管理情報の矛盾を無くすことが可能である。と共に、空き領域管理情報の完全性、及び、統一性を維持することが可能である。【００３８】
本発明の第１情報記録装置の他の態様は、前記空き領域管理情報は、前記第１更新手段及び前記第２更新手段によって更新可能なデータ構造であり、前記第１更新手段及び前記第２更新手段は、前記第１記録情報の記録、及び、前記第２記録情報の記録が相前後して行なわれる場合（言い換えると、同時に記録が行われることがない場合）、更に、前記空き領域管理情報を夫々更新する。【００３９】
この態様によれば、第１及び第２記録手段によって、同時に記録が行われることがない場合、ＨＤ等の情報記録媒体に記録される空き領域管理情報の位置、データ量、仕様形式等を、第１及び第２管理情報と共通とすることによって、第１及び第２更新手段の制御下で、空き領域管理情報を更新することが可能となる。従って、空き領域更新手段を選択的に備えることが可能となる。【００４０】
本発明の第２情報記録装置は上記課題を解決するために、上述した情報記録媒体（ＨＤ、ＤＶＤ）に前記記録情報を記録するための情報記録装置であって、前記記録情報を削除する削除手段と、前記第１管理情報に基づいて、前記第１記録情報を削除するように前記削除手段を制御する第１制御手段と、前記第２管理情報に基づいて、前記第２記録情報を削除するように前記削除手段を制御する第２制御手段と、前記記録情報の削除が行われる又は削除が行なわれた場合に、前記空き領域管理情報を更新する空き領域更新手段と、前記第１記録情報（ＰＳ）の削除が行われた場合に、前記第１管理情報を更新する第１更新手段と、前記第２記録情報（ＴＳ）の削除が行われた場合に、前記第２管理情報を更新する第２更新手段とを備える。【００４１】
本発明の第２情報記録装置によれば、第１情報記録装置と概ね同様に構成されている。第１制御手段の制御下で、第１管理情報に基づいて、削除手段によって、例えば、ＰＳ形式の第１記録情報が削除される。そして、第１記録情報の削除が行われた場合、第１更新手段によって、第１管理情報が更新される。と同時に又は相前後して、空き領域更新手段の制御下で、空き領域管理情報が更新される。【００４２】
他方、第２制御手段の制御下で、第２管理情報に基づいて、削除手段によって、例えば、ＴＳ形式の第２記録情報が削除される。そして、第２記録情報の削除が行われた場合、第２更新手段によって、第２管理情報が更新される。と同時に又は相前後して、空き領域更新手段の制御下で、空き領域管理情報が更新される。【００４３】
よって、空き領域が分散して偏在する、又は、連続して存在しているに関係なく全ての空き領域に対して、例えば、ＰＳ形式の第１記録情報、又は、ＴＳ形式の第２記録情報等の任意の形式の記録情報を、特定の空き領域を指定することなく自由に削除することが可能である。【００４４】
その結果、本発明によれば、例えば、ＨＤやＤＶＤ等の情報記録媒体に、複数の形式の記録情報を記録する場合に、当該情報記録媒体の記録領域をより効率的に利用するが可能となる。【００４５】
（情報記録方法）
本発明の第１情報記録方法は上記課題を解決するために、上述した情報記録媒体（ＨＤ、ＤＶＤ）に前記記録情報を記録する記録手段を備えた情報記録装置における情報記録方法であって、前記空き領域管理情報に基づいて、前記第１記録情報を記録するように前記記録手段を制御する第１制御工程と、前記空き領域管理情報に基づいて、前記第２記録情報を記録するように前記記録手段を制御する第２制御工程と、前記記録情報の記録が行われる又は記録が行なわれた場合に、前記空き領域管理情報を更新する空き領域更新工程と、前記第１記録情報（ＰＳ）の記録が行われた場合に、前記第１管理情報を更新する第１更新工程と、前記第２記録情報（ＴＳ）の記録が行われた場合に、前記第２管理情報を更新する第２更新工程とを備える。【００４６】
本発明の第１情報記録方法によれば、上述した本発明の第１情報記録装置が有する各種利益を享受することが可能となる。【００４７】
尚、上述した本発明の第１情報記録装置が有する各種態様に対応して、本発明の第１情報記録方法も各種態様を採ることが可能である。【００４８】
本発明の第２情報記録方法は上記課題を解決するために、上述した情報記録媒体（ＨＤ、ＤＶＤ）に前記記録情報を削除するための削除手段を備えた情報記録装置における情報記録方法であって、前記第１管理情報に基づいて、前記第１記録情報を削除するように前記削除手段を制御する第１制御工程と、前記第２管理情報に基づいて、前記第２記録情報を削除するように前記削除手段を制御する第２制御工程と、前記記録情報の削除が行われる又は削除が行なわれた場合に、前記空き領域管理情報を更新する空き領域更新工程と、前記第１記録情報（ＰＳ）の削除が行われた場合に、前記第１管理情報を更新する第１更新工程と、前記第２記録情報（ＴＳ）の削除が行われた場合に、前記第２管理情報を更新する第２更新工程とを備える。【００４９】
本発明の第２情報記録方法によれば、上述した本発明の第２情報記録装置が有する各種利益を享受することが可能となる。【００５０】
尚、上述した本発明の第２情報記録装置が有する各種態様に対応して、本発明の第２情報記録方法も各種態様を採ることが可能である。【００５１】
（情報再生装置）
本発明の情報再生装置は上記課題を解決するために、上述した情報記録媒体に記録された前記記録情報を再生する再生手段を備えた情報再生装置であって、再生すべき記録情報として、前記第１記録情報、及び、前記第２記録情報のうちいずれか一方を選択する選択手段と、（ｉ）前記第１記録情報が選択された場合、前記第１管理情報に基づくと共に、（ｉｉ）前記第２記録情報が選択された場合、前記第２管理情報に基づいて、再生するように前記再生手段を制御する再生制御手段とを備える。【００５２】
本発明の情報再生装置によれば、再生制御手段の制御下で、選択手段によって、ユーザの所望の記録情報が選択され、再生されることが可能となる。【００５３】
以上の結果、本発明の情報再生装置によれば、本実施形態に係る情報記録装置が有する利益と概ね同様の利益を享受することが可能となる。【００５４】
尚、上述した本発明の情報記録装置が有する各種態様に対応して、本発明の情報再生装置も各種態様を採ることが可能である。【００５５】
（情報再生方法）
本発明の情報再生方法は上記課題を解決するために、上述した情報記録媒体に記録された前記記録情報を再生する再生手段を備えた情報再生装置であって、再生すべき記録情報として、前記第１記録情報、及び、前記第２記録情報のうちいずれか一方を選択する選択手段と、（ｉ）前記第１記録情報が選択された場合、前記第１管理情報に基づくと共に、（ｉｉ）前記第２記録情報が選択された場合、前記第２管理情報に基づいて、再生するように前記再生手段を制御する再生制御手段とを備える。【００５６】
本発明の情報再生方法によれば、上述した本発明の情報再生装置が有する各種利益を享受することが可能となる。【００５７】
尚、上述した本発明の情報再生装置が有する各種態様に対応して、本発明の情報再生方法も各種態様を採ることが可能である。【００５８】
（コンピュータプログラム）
本発明の第１コンピュータプログラムは上記課題を解決するために、上述した本発明の第１情報記録装置（但し、その各種態様を含む）に備えられたコンピュータを制御する記録制御用のコンピュータプログラムであって、該コンピュータを、前記記録手段、前記制御手段、前記空き領域更新手段、前記第１更新手段、及び、前記第２更新手段のうち少なくとも一部として機能させる。【００５９】
本発明の第２コンピュータプログラムは上記課題を解決するために、上述した本発明の第２情報記録装置（但し、その各種態様を含む）に備えられたコンピュータを制御する記録制御用のコンピュータプログラムであって、該コンピュータを、前記削除手段、前記制御手段、前記空き領域更新手段、前記第１更新手段、及び、前記第２更新手段のうち少なくとも一部として機能させる。【００６０】
また、本発明の第３コンピュータプログラムは上記課題を解決するために、上述した本発明の情報再生装置（但し、その各種態様を含む）に備えられたコンピュータを制御する再生制御用のコンピュータプログラムであって、該コンピュータを、前記再生手段、前記選択手段、及び、再生制御手段のうち少なくとも一部として機能させる。【００６１】
本発明に係る第１、第２、及び、第３コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置又は情報再生装置を比較的簡単に実現できる。【００６２】
尚、上述した本発明の情報記録装置又は情報再生装置における各種態様に対応して、本発明の各コンピュータプログラムも各種態様を採ることが可能である。【００６３】
コンピュータ読取可能な媒体内の第１コンピュータプログラム製品は上記課題を解決するために、上述した第１情報記録装置（但し、その各種態様を含む）に備えられたコンピュータにより実行可能なプログラム命令を明白に具現化し、該コンピュータを、前記記録手段、前記制御手段、前記空き領域更新手段、前記第１更新手段、及び、前記第２更新手段のうち少なくとも一部として機能させる。【００６４】
コンピュータ読取可能な媒体内の第２コンピュータプログラム製品は上記課題を解決するために、上述した第２情報記録装置（但し、その各種態様を含む）に備えられたコンピュータにより実行可能なプログラム命令を明白に具現化し、該コンピュータを、前記削除手段、前記制御手段、前記空き領域更新手段、前記第１更新手段、及び、前記第２更新手段のうち少なくとも一部として機能させる。【００６５】
コンピュータ読取可能な媒体内の第３コンピュータプログラム製品は上記課題を解決するために、上述した情報再生装置（但し、その各種態様を含む）に備えられたコンピュータにより実行可能なプログラム命令を明白に具現化し、該コンピュータを、前記再生手段、前記選択手段、及び、再生制御手段のうち少なくとも一部として機能させる。【００６６】
本発明の第１、第２、又は第３コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置又は情報再生装置を比較的容易に実施可能となる。更に具体的には、当該コンピュータプログラム製品は、上述した本発明の情報記録装置又は情報再生装置として機能させるコンピュータ読取可能なコード（或いはコンピュータ読取可能な命令）から構成されてよい。【００６７】
本発明のこのような作用及び他の利得は次に説明する実施例から更に明らかにされる。【００６８】
以上説明したように、本発明の情報記録装置又は方法は、記録手段又は削除手段と、第１制御手段と、第２制御手段と、空き領域更新手段と、第１更新手段と、第２更新手段とを、又は、記録工程と、第１制御工程と、第２制御工程と、空き領域更新工程と、第１更新工程と、第２更新工程とを備える。また、本発明の情報再生装置又は方法は、再生手段と、選択手段と、再生制御手段とを、又は、再生工程と、選択工程と、再生制御工程とを備える。従って、例えば、ＨＤやＤＶＤ等の情報記録媒体に、複数の形式の記録情報を記録する場合に、当該情報記録媒体の記録領域をより効率的に利用するが可能となる。
【図面の簡単な説明】
【００６９】
【図１】本発明に係るＭＰＥＧ２の規格に基づいたプログラムストリーム（ＰＳ）の構成を図式的に示す概念図（図１（ａ））、及び、本発明に係るＭＰＥＧ２の規格に基づいたトランスポートストリーム（ＴＳ）の構成を図式的に示す概念図（図１（ｂ））である。
【図２】本発明の情報記録媒体の一具体例であるハードディスク（ＨＤ）やＤＶＤ等において、構築されるデータ構造を図式的に示した概念図である。
【図３】本発明に係る「空き領域管理情報」の一具体例である空き領域管理情報のデータ構造を図式的に示したデータ構造図である。
【図４】本発明に係る「第１管理情報」の一具体例であるＰＳ管理情報と、本願発明に係る「第２管理情報」の一具体例であるＴＳ管理情報とのデータ構造を図式的に示したデータ構造図（図４（ａ）及び図４（ｂ））である。
【図５】本発明の情報記録装置の実施例に係る情報記録再生装置の基本構成を概念的に示すブロック図である。
【図６】本発明の情報記録装置の実施例に係る情報記録再生装置の動作の流れを概念的に示すフローチャートである。
【図７】本発明の情報記録装置の実施例に係る情報記録再生装置の詳細構成を図式的に示すブロック図である。
【図８】比較例に係るハードディスク（ＨＤ）やＤＶＤ等において、構築されるデータ構造を図式的に示した概念図である。
【符号の説明】
【００７０】
１…情報記録再生装置、１ａ…ＴＶ受信機、１５…ＨＤＤドライブ、１９…ＤＶＤドライブ、３３…システムＣＰＵ、３５…メモリー部、３８…デジタル受信機、１００…記録領域、１１０…空き領域管理情報エリア、１２０…ＰＳ管理情報エリア、１３０…ＴＳ管理情報エリア、２００…ＨＤＤ、２１０…空き領域管理手段、２２０…ＰＳ用配置管理手段、２２０…ＴＳ用配置管理手段、２５０…仮想パーティション設定手段、１０００…情報記録媒体
【発明を実施するための最良の形態】
【００７１】
以下、本発明を実施するための最良の形態について実施例毎に順に図面に基づいて説明する。【００７２】
以下、図１から図８を参照しながら、本発明の情報記録媒体、及び、情報記録装置に係る実施例について説明する。尚、本実施例においては、例えば、地上波デジタル放送を受信する受信機を備えると共に、例えば、ハードディスクドライブ（以下、適宜「ＨＤＤ」と称す）等の情報記録媒体に記録する、例えば、ＨＤＤ付きＤＶＤレコーダー等の情報記録再生装置について説明する。
（トランスポートストリーム、及び、プログラムストリーム）
先ず、図１を参照して、本発明の情報記録装置に設置された、例えばデジタルチューナーやアナログチューナー等の受信機において受信されると共に、本発明の情報記録媒体の一具体例であるハードディスク（ＨＤ）やＤＶＤ等に記録されるトランスポートストリーム、及び、プログラムストリームについて説明する。ここに、図１は、本発明に係るＭＰＥＧ２の規格に基づいたプログラムストリーム（ＰＳ）の構成を図式的に示す概念図（図１（ａ））、及び、本発明に係るＭＰＥＧ２の規格に基づいたトランスポートストリーム（ＴＳ）の構成を図式的に示す概念図（図１（ｂ））である。【００７３】
図１（ａ）において、一つのプログラムストリームは、時間軸ｔに沿って、主映像情報たるビデオデータ用のビデオストリームを１本だけ含み、更に、音声情報たるオーディオデータ用のオーディオストリームを最大で８本含み且つ副映像情報たるサブピクチャデータ用のサブピクチャストリームを最大で３２本含んでなる。即ち、任意の時刻ｔｘにおいて多重化されるビデオデータは、１本のビデオストリームのみに係るものであり、例えば複数のテレビ番組（所謂、放送番組）或いは複数の映画などに対応する複数本のビデオストリームを同時にプログラムストリームに含ませることはできない。映像を伴うテレビ番組等を多重化して伝送或いは記録するためには、各々のテレビ番組等のために、少なくとも１本のビデオストリームが必要となるので、１本しかビデオストリームが存在しないＤＶＤのプログラムストリーム形式では、複数のテレビ番組等を多重化して伝送或いは記録することはできないのである。【００７４】
図１（ｂ）において、一つのトランスポートストリーム（ＴＳ）は、主映像情報たるビデオデータ用のエレメンタリーストリーム（ＥＳ）としてビデオストリームを複数本含んでなり、更に音声情報たるオーディオデータ用のエレメンタリーストリーム（ＥＳ）としてオーディオストリームを複数本含み且つ副映像情報たるサブピクチャデータ用のエレメンタリーストリーム（ＥＳ）としてサブピクチャストリームを複数本含んでなる。即ち、任意の時刻ｔｘにおいて多重化されるビデオデータは、複数本のビデオストリームに係るものであり、例えば複数のテレビ番組或いは複数の映画などに対応する複数のビデオストリームを同時にトランスポートストリームに含ませることが可能である。このように複数本のビデオストリームが存在するトランスポートストリーム形式では、複数のテレビ番組等を多重化して伝送或いは記録することが可能である。但し、現況のトランスポートストリームを採用するデジタル放送では、サブピクチャストリームについては伝送していない。【００７５】
尚、図１（ａ）及び図１（ｂ）では説明の便宜上、ビデオストリーム、オーディオストリーム及びサブピクチャストリームを、この順に上から配列しているが、この順番は、後述の如くパケット単位で多重化される際の順番等に対応するものではない。トランスポートストリームでは、概念的には、例えば一つの番組に対して、１本のビデオストリーム、２本の音声ストリーム及び２本のサブピクチャストリームからなる一まとまりが対応している。【００７６】
後述される本実施例に係るＨＤ、又は、ＤＶＤ等の情報記録媒体は、記録レートの制限内で、このように複数本のエレメンタリーストリーム（ＥＳ）を含んでなるトランスポートストリーム（ＴＳ）を多重記録可能に、即ち複数のテレビ番組等を同時に記録可能に構成されている。
（情報記録媒体の実施例）
次に、図２から図４を参照して、本発明の情報記録媒体の一具体例であるハードディスク（ＨＤ）やＤＶＤ等において、構築されるデータ構造について説明する。ここに、図２は、本発明の情報記録媒体の一具体例であるハードディスク（ＨＤ）やＤＶＤ等において、構築されるデータ構造を図式的に示した概念図である。図３は、本発明に係る「空き領域管理情報」の一具体例である空き領域管理情報のデータ構造を図式的に示したデータ構造図である。図４は、本発明に係る「第１管理情報」の一具体例であるＰＳ管理情報と、本願発明に係る「第２管理情報」の一具体例であるＴＳ管理情報とのデータ構造を図式的に示したデータ構造図（図４（ａ）及び図４（ｂ））である。【００７７】
図２に示されるように、本発明の情報記録媒体の一具体例であるハードディスク（ＨＤ）やＤＶＤ等は、（ｉ）例えば、データエリア等の記録領域１００、（ｉｉ）本願発明に係る「空き領域管理情報記録領域」の一具体例である空き領域管理情報エリア１１０、（ｉｉｉ）本願発明に係る「第１管理情報記録領域」の一具体例であるＰＳ管理情報エリア１２０、及び、（ｉｖ）本願発明に係る「第２管理情報記録領域」の一具体例であるＴＳ管理情報エリア１３０を備えて構成されている。【００７８】
記録領域１００においては、本願発明に係る「第１形式の第１記録情報」の一具体例であるプログラムストリーム形式（ＰＳ形式）のコンテンツ、及び、本願発明に係る「第２形式の第２記録情報」の一具体例であるトランスポートストリーム形式（ＴＳ形式）のコンテンツが混在して記録可能である。特に、本実施例によれば、これら複数の形式の記録情報を夫々記録するための記録領域を静的又は動的に区分けするパーティション、所謂、仕切りは設定されない。【００７９】
空き領域管理情報エリア１１０においては、空き領域管理情報１１０ａが記録可能である。この空き領域管理情報１１０ａは、記録領域１００において未記録状態である空き領域の配置情報（アドレス情報）を管理する。図３に示されるように、空き領域管理情報１１０ａは、ＨＤやＤＶＤ等の情報記録媒体の記録領域における、例えば、ＥＣＣ（Error Correcting Code）ブロック（以下「ブロック」と称す）１１０ｂ等の記録単位と、フラグ情報１１０ｃと備えて構成されている。より詳細には、ブロック１１０ｂは、セクタ番号によって、開始位置と終了位置が指定可能である。フラグ情報１１０ｃについては、全てブロック１１０ｂに対して、「記録済み」のブロックには、フラグ情報１１０ｃのフィールドに“１”のフラグが立てられ、「未記録」のブロックには、“０”のフラグが立てられる。より具体的には、「２００００ｈ」（「ｈ」は１６進数による表示を示す）から「９ＦＦＦＦｈ」までは、記録済みの記録領域であり、「Ａ００００ｈ」から「ＥＦＦＦＦｈ」までは、未記録状態の記録領域である。【００８０】
ＰＳ管理情報エリア１２０においては、本願発明に係る「第１管理情報」の一具体例であるＰＳ管理情報１２０ａが記録可能である。このＰＳ管理情報１２０ａは、記録領域１００においてＰＳ形式のコンテンツが記録済みである領域の配置情報（例えば、ＰＳへのポインタに関する情報）を管理する。【００８１】
具体的には、図４（ａ）に示されるように、ＰＳ管理情報１２０ａは、記録タイトル数１２０ｂ、各タイトル情報へのテーブルの数１２０ｃ、各ストリームへのテーブルの数１２０ｄ、タイトル情報１２０ｅ、及び、ストリーム情報１２０ｆを備えて構成されている。【００８２】
記録タイトル数１２０ｂは、通常は、「１」に設定されるが、データの保護を考慮すると冗長性を持たせ「２」に設定されるのが望ましい。尚、記録タイトルは、複数のタイトルから構成されるようにしてもよい。【００８３】
各タイトル情報へのテーブルの数１２０ｃは、ＰＳ形式のコンテンツのタイトルが記録可能な最大のタイトル数ＰＳ−Ｔｎが設定される。【００８４】
各ストリームへのテーブルの数１２０ｄは、ＰＳ形式のコンテンツのストリームが記録可能な最大のストリーム数ＰＳ−Ｓｎが設定される。【００８５】
タイトル情報１２０ｅの数は、ＰＳ形式のコンテンツのタイトルが記録可能な最大のタイトル数ＰＳ−Ｔｎが設定される。タイトル情報１２０ｅは、更に、タイトル名１２０ｅ１、総時間１２０ｅ２、各ストリームへのポインタ及び範囲情報１２０ｅ３、リジューム位置情報１２０ｅ４、エントリーポイント数１２０ｅ５、及び、エントリーポイント情報１２０ｅ６を備えて構成されている。より詳細には、タイトル名１２０ｅ１の数は、「１」に設定されるが、データの保護を考慮すると冗長性を持たせ「２」に設定されるのが望ましい。総時間１２０ｅ２の数は、「１」に設定されるが、データの保護を考慮すると冗長性を持たせ「２」に設定されるのが望ましい。各ストリームへのポインタ及び範囲情報１２０ｅ３は、再生できる範囲を指定することが可能な最大の数ＰＳ−Ｐｎが設定される。リジューム位置情報１２０ｅ４の数は、「１」に設定されるが、データの保護を考慮すると冗長性を持たせ「２」に設定されるのが望ましい。エントリーポイント数１２０ｅ５は、「１」に設定されるが、データの保護を考慮すると冗長性を持たせ「２」に設定されるのが望ましい。エントリーポイント情報１２０ｅ６は、エントリーポイントの最大の数ＰＳ−Ｅｎが設定される。【００８６】
ストリーム情報１２０ｆの数は、ＰＳ形式のコンテンツのストリームが記録可能な最大のストリーム数ＰＳ−Ｓｎが設定される。ストリーム情報１２０ｆは、更に、記録ユニット数１２０ｆ１、及び、各ユニットへのポインタ１２０ｆ２を備えて構成されている。より詳細には、記録ユニット数１２０ｆ１は、「１」に設定されるが、データの保護を考慮すると冗長性を持たせ「２」に設定されるのが望ましい。各ユニットへのポインタ１２０ｆ２は、ユニットの最大の数ＰＳ−Ｕｎが設定される。【００８７】
ＴＳ管理情報エリア１３０においては、本願発明に係る「第２管理情報」の一具体例であるＴＳ管理情報１３０ａが記録可能である。このＴＳ管理情報１３０ａは、記録領域１００においてＴＳ形式のコンテンツが記録済みである領域の配置情報（例えば、ＴＳへのポインタに関する情報等）を管理する。尚、ＴＳ管理情報１３０ａのデータ構造は、ＰＳ管理情報１２０ａのデータ構造と概ね同様である。【００８８】
具体的には、図４（ｂ）に示されるように、ＴＳ管理情報１３０ａは、記録タイトル数１３０ｂ、各タイトル情報へのテーブルの数１３０ｃ、各ストリームへのテーブルの数１３０ｄ、タイトル情報１３０ｅ、及び、ストリーム情報１３０ｆを備えて構成されている。【００８９】
記録タイトル数１３０ｂは、通常は、「１」に設定されるが、データの保護を考慮すると冗長性を持たせ「２」に設定されるのが望ましい。尚、記録タイトルは、複数のタイトルから構成されるようにしてもよい。【００９０】
各タイトル情報へのテーブルの数１３０ｃは、ＴＳ形式のコンテンツのタイトルが記録可能な最大のタイトル数ＴＳ−Ｔｎが設定される。【００９１】
各ストリームへのテーブルの数１３０ｄは、ＴＳ形式のコンテンツのストリームが記録可能な最大のストリーム数ＴＳ−Ｓｎが設定される。【００９２】
タイトル情報１３０ｅの数は、ＴＳ形式のコンテンツのタイトルが記録可能な最大のタイトル数ＴＳ−Ｔｎが設定される。タイトル情報１３０ｅは、更に、タイトル名１３０ｅ１、総時間１３０ｅ２、各ストリームへのポインタ１３０ｅ３、及び、リジューム位置情報１３０ｅ４を備えて構成されている。より詳細には、タイトル名１３０ｅ１の数は、「１」に設定されるが、データの保護を考慮すると冗長性を持たせ「２」に設定されるのが望ましい。総時間１３０ｅ２の数は、「１」に設定されるが、データの保護を考慮すると冗長性を持たせ「２」に設定されるのが望ましい。各ストリームへのポインタ１３０ｅ３の数は、「１」に設定されるが、データの保護を考慮すると冗長性を持たせ「２」に設定されるのが望ましい。リジューム位置情報１３０ｅ４の数は、「１」に設定されるが、データの保護を考慮すると冗長性を持たせ「２」に設定されるのが望ましい。エントリーポイント数１３０ｅ５は、「１」に設定されるが、データの保護を考慮すると冗長性を持たせ「２」に設定されるのが望ましい。エントリーポイント情報１３０ｅ６は、エントリーポイントの最大の数ＴＳ−Ｅｎが設定される。【００９３】
ストリーム情報１３０ｆの数は、ＴＳ形式のコンテンツのストリームが記録可能な最大のストリーム数ＴＳ−Ｓｎが設定される。ストリーム情報１３０ｆは、更に、記録ユニット数１３０ｆ１、及び、各ユニットへのポインタ１３０ｆ２を備えて構成されている。より詳細には、記録ユニット数１３０ｆ１は、「１」に設定されるが、データの保護を考慮すると冗長性を持たせ「２」に設定されるのが望ましい。各ユニットへのポインタ１３０ｆ２は、ユニットの最大の数ＴＳ−Ｕｎが設定される。【００９４】
以上のように構成されているので、後述される情報記録装置によって、複数の形式の記録情報が夫々記録される際に、この空き領域管理情報が共有される。と共に、情報記録装置によって、ＰＳ管理情報１２０、及び、ＴＳ管理情報１３０が、夫々更新される。【００９５】
その結果、ＨＤ等の情報記録媒体に、複数の形式の記録情報を記録する場合に、当該情報記録媒体の記録領域をより効率的に利用するが可能となる。【００９６】
（情報記録装置の実施例）
次に、図５及び図６を参照して、本発明の情報記録装置に係る実施例について説明を進める。尚、以下の説明においては、ＴＳやＰＳによって搬送される放送番組の記録のみならず、これらの放送番組の再生を行うこともできる、例えば、ＨＤＤ付きのＤＶＤレコーダー等の情報記録再生装置を、本発明における情報記録装置の一具体例として説明する。【００９７】
（１）基本構成
先ず、図５を参照して、本発明の情報記録装置の実施例に係る情報記録再生装置の基本構成について説明を進める。ここに、図５は、本発明の情報記録装置の実施例に係る情報記録再生装置の基本構成を概念的に示すブロック図である。【００９８】
図５に示されるように、情報記録再生装置１は、（ｉ）本願発明の「空き領域更新手段」の一例を構成する空き領域管理手段２１０を中心とした構成要素、（ｉｉ）本願発明の「第１更新手段」の一例を構成するＰＳ用配置管理手段２２０を中心とした構成要素、（ｉｉｉ）本願発明の「第２更新手段」の一例を構成するＴＳ用配置管理手段２３０を中心とした構成要素、（ｉｖ）本願発明の「仮想パーティション設定手段」２５０、及び、（ｖ）本願発明の「情報記録媒体」の一例を構成するＨＤＤ２００を備えて構成されている。【００９９】
（ｉ）空き領域管理手段２１０を中心とした構成要素は、更に、空き領域読み書き手段２１１、及び、ワークＲＡＭ２１２を備えて構成されている。特に、ワークＲＡＭ２１２は、高速処理を目的とした、補助的な、又は、２次的な記憶手段である。より具体的には、情報記録再生装置の電源投入時に、ＨＤＤ２００内の空き領域管理情報エリア１１０から空き領域管理情報１１０ａを取得する。尚、初期動作によって、未記録状態の空き領域を検索し、空き領域管理情報１１０ａを作成してもよい。次に、記録情報の記録に伴って、空き領域管理手段２１０の制御下で、空き領域読み書き手段２１１によって、空き領域管理情報１１０ａが新しく更新される。そして、情報記録再生装置の電源遮断時に、ＨＤＤ２００内の空き領域管理情報エリア１１０に、最新の空き領域管理情報１１０ａが記録される。【０１００】
（ｉｉ）ＰＳ用配置管理手段２２０を中心とした構成要素は、更に、放送番組の視聴者であり、録画を行うユーザ（以下、適宜「ユーザ」と称す）によってＰＳ形式のコンテンツを記録、再生、又は、編集の指示が行われるＰＳ用指示手段２２１、ＰＳ形式の動画等のコンテンツを入出力させるＰＳ用入出力手段２２２、ＰＳ用記録済み領域算出手段２２３、ＰＳ用記録可能残領域算出手段２２４、ＰＳ用読み書き手段２２５を備えて構成されている。尚、例えば、ＣＰＵ等のＰＳ用配置管理手段２２０は、例えば、メモリ等の記憶手段を備えており、ここに、ＰＳ管理情報１２０ａが記憶されるように構成してもよい。【０１０１】
（ｉｉｉ）ＴＳ用配置管理手段２３０を中心とした構成要素は、更に、ユーザによってＴＳ形式のコンテンツを記録、再生、又は、編集の指示が行われるＴＳ用指示手段２３１、ＴＳ形式の動画等のコンテンツを入出力させるＴＳ用入出力手段２３２、ＴＳ用記録済み領域算出手段２３３、ＴＳ用記録可能残領域算出手段２３４、ＴＳ用読み書き手段２３５を備えて構成されている。尚、例えば、ＣＰＵ等のＴＳ用配置管理手段２３０は、例えば、メモリ等の記憶手段を備えており、ここに、ＴＳ管理情報１３０ａが記憶されるように構成してもよい。【０１０２】
（ｉｖ）仮想パーティション設定手段２５０は、後述されるように、例えば、ユーザによる初期設定によって決定されたＰＳ用の記録可能な領域の最大のセクタ数に関する情報を、ＰＳ用記録可能残領域算出手段２２４へ出力する。【０１０３】
（３）動作原理
次に、図６に加えて前述した図５を適宜参照して、本実施例に係る情報記録再生装置の動作原理に加えて詳細な構成について説明する。ここに、図６は、本発明の情報記録装置の実施例に係る情報記録再生装置の動作の流れを概念的に示すフローチャートである。尚、ＰＳの記録動作と、ＴＳの記録動作は、概ね同様であるので、図６においては、ＰＳの記録動作について説明し、ＴＳの記録動作（即ち、ステップＳ１０１で「Ｎｏ」の場合）についての説明は省略する。【０１０４】
先ず、受信された放送番組のストリームが、ＰＳであるのか否かが判定される（ステップＳ１０１）。ここで、受信された放送番組のストリームが、ＰＳである場合（ステップＳ１０１：Ｙｅｓ）、更に、ＰＳ用指示手段２２１ の制御下で、ユーザによって記録を停止するように指示されたか否かが判定される（ステップＳ１０２）。ここで、ユーザによって記録を停止するように指示されなかった場合（ステップＳ１０２：Ｎｏ）、更に、ＰＳ用入出力手段２２２の制御下で、ＰＳが、情報記録再生装置１に入力されたか否かが判定される（ステップＳ１０３）。ここで、ＰＳが、情報記録再生装置１に入力された場合（ステップＳ１０３：Ｙｅｓ）、ＰＳ用配置管理手段２２０の制御下で、ＨＤＤに記録すべきＰＳの受信された放送番組のデータ量として、セクタ数「ｎ」が取得される（ステップＳ１０４）。【０１０５】
次に、ＰＳ用配置管理手段２５０の制御下で、記録すべきセクタ数「ｎ」が、ＰＳ用に記録可能な残りの領域におけるセクタ数「ｚ」以下であるか否かが判定される（ステップＳ１０５）。より具体的には、図５に示されるように、ＰＳ用配置管理手段２２０は、ＰＳ用記録済み領域算出手段２２３に、ＰＳ用に既に記録済みの領域のセクタ数「ｓ」を、算出するように指示を送る。ＰＳ用記録済み領域算出手段２２３は、ＰＳ用に既に記録済みの領域のセクタ数「ｓ」を算出し、ＰＳ用記録可能残領域算出手段２２４に出力する。ＰＳ用記録可能残領域算出手段２２４は、仮想パーティション設定手段２５０から入力された、例えば、ユーザによる初期設定によって決定されたＰＳ用の記録可能な領域の最大のセクタ数「ｔｏｔａｌ」から、セクタ数「ｓ」を差し引き、ＰＳ用に記録可能な残りの領域におけるセクタ数「ｚ」を算出すると共に、ＰＳ用配置管理手段２２０へ出力する。このようにして、ＰＳ用配置管理手段２２０は、記録すべきセクタ数「ｎ」が、ＰＳ用に記録可能な残りの領域におけるセクタ数「ｚ」以下であるか否かの判定を行う。【０１０６】
このステップＳ１０５の判定の結果、記録すべきセクタ数「ｎ」が、ＰＳ用に記録可能な残りの領域におけるセクタ数「ｚ」以下である場合（ステップＳ１０５：Ｙｅｓ）、空き領域管理手段２１０の制御下で、ＨＤＤにおいて、セクタ数「ｎ」のデータ量を連続して記録可能な未記録状態の記録領域が存在するか否かが判定される（ステップＳ１０６）。ここで、セクタ数「ｎ」のデータ量を連続して記録可能な未記録状態の記録領域が存在する場合（ステップＳ１０６：Ｙｅｓ）、空き領域管理手段２１０の制御下で、空き領域管理情報１１０において、セクタ数「ｎ」が記録されるアドレスに対応される属性情報（例えば、スペースビットマップ等のフラグ情報）が、記録済みであることを示す情報に更新される（ステップＳ１０７）。【０１０７】
次に、ＰＳ用読み書き手段２２５によって、セクタ数「ｎ」のデータ量に相当するＰＳが、実際に未記録状態の記録領域に記録される（ステップＳ１０８）。【０１０８】
次に、ＰＳ用配置管理手段２２０の制御下で、ＰＳ管理情報１２０ａが更新される（ステップＳ１０９）。より具体的には、新たにＰＳが記録済みとなった領域のアドレス（配置）に関する情報が、ＰＳ管理情報１２０ａに新しく付加される。【０１０９】
他方、ステップＳ１０２の判定の結果、ユーザによって記録を停止するように指示された場合（ステップＳ１０２：Ｙｅｓ）、ステップＳ１０５の判定の結果、記録すべきセクタ数「ｎ」が、ＰＳ用に記録可能な残りの領域におけるセクタ数「ｚ」以下でなかった、即ち、より大きかった場合（ステップＳ１０５：Ｎｏ）、及び、セクタ数「ｎ」のデータ量を連続して記録可能な未記録状態の記録領域が存在しなかった場合（ステップＳ１０６：Ｎｏ）、一連の記録動作は、終了される。【０１１０】
（４）  詳細構成
次に、図７を参照して、本実施例に係る情報記録再生装置の詳細構成について説明する。ここに、図７は、本発明の情報記録装置の実施例に係る情報記録再生装置の詳細構成を図式的に示すブロック図である。【０１１１】
図７に示されるように、情報記録再生装置１は、ＴＶ受信機1ａ、映像入力２、音声出力３、入力切換４、Ａ／Ｄ（Analog to digital）コンバータ５、Ａ／Ｄコンバータ６、ＴＶ信号デコーダ７、入力切換８、映像エンコーダ９、音声エンコーダ１０、マルチプレクサ１１、入力切換１２、ドライブ１入力切換１３、ドライブインターフェイス１４、ＨＤＤドライブ１５、ＨＤＤ１６、ドライブ２入力切換１７、ドライブインターフェイス１８、ＤＶＤドライブ１９、ＤＶＤ２０、再生切換２１、出力切換２２、デマルチプレクサ２３、画像デコーダ２４、音声デコーダ２５、出力切換２６、サムネイルＯＳＤ２７、ＴＶ信号エンコーダ２８、Ｄ／Ａコンバータ２９、映像出力３０、Ｄ／Ａ（Digital to Analog）コンバータ３１、音声出力３２、システムＣＰＵ３３、操作部３４、メモリー部３５、リモコン受光部３６、リモコン３７、デジタル受信機３８、ＩＥＥＥ１３９４デコーダ３９、ＴＳインプットプロセッサ４０、ＴＳアウトプットプロセッサ４１、ＩＥＥＥ１３９４エンコーダ４２、及び、ＩＥＥＥ１３９４出力４３を備えて構成されている。【０１１２】
（５）詳細動作
（５−１）放送番組の記録を行う場合
次に、図７を参照して、放送番組の記録の場合の詳細動作について詳細な構成と共に説明する。【０１１３】
（５−１ａ）トランスポートストリームの受信
デジタル受信機３８は、例えば、地上波デジタル放送を受信する。【０１１４】
ＩＥＥＥ１３９４デコーダ３９は、デジタル受信機３８を介して入力されたＩＥＥＥ１３９４フォーマットのトランスポートストリームを通常のトランスポートストリームに変換し、ＴＳインプットプロセッサ４０に出力する。【０１１５】
ＴＳインプットプロセッサ４０は、入力された通常のトランスポートストリームをＨＤＤ記録用のトランスポートストリームデータ（以下、適宜「ＨＤＤ記録用ＴＳデータ」）に変換し、入力切換１２に出力する。【０１１６】
ＨＤＤドライブ１５には、ＡＴＡＰＩなどの規格に準拠したドライブインターフェイス１４が接続されており、ドライブインターフェイス１４には、入力切換１２からの出力を切り換えるドライブ１入力切換１３が接続されている。このドライブ１入力切換１３は、システムＣＰＵ３３の制御により入力源の切り換えを行う。尚、ＨＤＤドライブ１５は、入力切換１２を介して入力されたストリーム（ＴＳ、又は、ＰＳ）をＨＤＤ１６に記録するようになっている。【０１１７】
（５−１ｂ）プログラムストリームの受信
ＴＶ受信機1ａはＶＨＦ又はＢＳなどのＲＦ信号を受信し、選択された受信帯域に同調して受信した信号波をＩＦ信号に変換するとともに、ＴＶ用映像信号及び音声信号に復調して入力切換４に出力する。【０１１８】
入力切換４は、ＴＶ受信機１ａから出力された信号、及び、映像入力２、音声入力３からの信号を選択的に切り換え、映像信号をＡ／Ｄ（Analog to digital）コンバータ５に、音声信号をＡ／Ｄコンバータ６に出力する。【０１１９】
Ａ／Ｄコンバータ５は、入力切換４によって選択されたＴＶ用アナログ信号をデジタル信号に変換してＴＶ信号デコーダ７に出力する。【０１２０】
ＴＶ信号デコーダ７は、入力されたＴＶ用デジタル信号を復号化し、ＮＴＳＣ方式などの通常の映像信号に変換して入力切換８に出力する。【０１２１】
Ａ／Ｄコンバータ６は、入力切換４によって選択されたアナログ音声信号をデジタル音声信号に変換して入力切換８に出力する。【０１２２】
入力切換８には、ＴＶ信号デコーダ７、及び、Ａ／Ｄコンバータ６から出力された映像信号及び音声信号と、例えば、ＨＤＤからＤＶＤへダビングを行う場合、及び、ＤＶＤからＨＤＤへダビングを行う場合、ＨＤＤドライブ１５又はＤＶＤドライブ１９から出力され、デコードされた映像信号、及び、音声信号が入力される。この入力切換８は、後述されるシステムＣＰＵ３３の制御に基づいて、入力された映像信号および音声信号の何れかを選択し、選択した映像信号を映像エンコーダ９に、選択した音声信号を音声エンコーダ１０に出力する。【０１２３】
映像エンコーダ９は、入力切換８によって選択された映像信号をＭＰＥＧフォーマットの映像データに変換し、マルチプレクサ１１に出力する。【０１２４】
音声エンコーダ１０は、入力切換８によって選択された音声信号をＡＣ−３フォーマットの音声データに変換し、マルチプレクサ１１に出力する。【０１２５】
マルチプレクサ１１は、入力された映像データおよび音声データに基づいてプログラムストリームを生成し、入力切換１２に出力する。【０１２６】
入力切換１２には、マルチプレクサ１１から出力されたプログラムストリーム及び前述したＴＳインプットプロセッサ４０から出力されたトランスポートストリームが入力される。この入力切換１２は、システムＣＰＵ３３の制御に基づいて入力されたストリームを選択し、ドライブ1入力切換１３及びドライブ２入力切換１７に出力する。【０１２７】
（５−１ｃ）システムＣＰＵによる記録制御
本実施例では、特に、最初に、情報記録再生装置１が起動された際に、システムＣＰＵ３３の指示でＨＤＤドライブ１５より空き領域管理情報１１０ａを読み取り、メモリ部３５で保持する。入力切替１２にてＨＤＤ１６へ記録するストリームがプログラムストリームであれば、ＣＰＵ３３はプログラムストリーム用のＰＳ管理情報１２０ａをＨＤＤドライブ１５より読み取り、メモリー部３５で保持している空き領域管理情報１１０ａと合わせてプログラムストリームのＨＤＤドライブ１５への記録を制御し、空き領域管理情報１１０ａを更新する。他方、入力切替１２にてＨＤＤへ記録するストリームがトランスポートストリームであれば、ＣＰＵ３３はトランスポートストリーム用のＴＳ管理情報１３０ａをＨＤＤドライブ１５より読み取り、メモリー部３５で保持している空き領域管理情報１１０ａと合わせてトランスポートストリームのＨＤＤドライブ１５への記録を制御し、空き領域管理情報１１０ａを更新する。またリモコン３７からの指示がＨＤＤに記録されているタイトルの削除であった場合に、システムＣＰＵ３３は指定のタイトルがプログラムストリームかトランスポートストリームかを識別し、必要に応じてＨＤＤドライブ１５から、ＰＳ管理情報１２０ａ及びＴＳ管理情報１３０ａを夫々読み取り、ＰＳ管理情報１２０ａ及びＴＳ管理情報１３０ａから夫々指定されたタイトルの記録領域を空き領域として設定し、空き領域管理情報１１０ａを更新する。最後に、情報記録再生装置１が終了される際にシステムＣＰＵ３３は、保持している空き領域管理情報１１０ａをメモリー部３５からＨＤＤドライブ１５へ書きこみ指示を送る。【０１２８】
（５−２）ＨＤＤから外部への出力、及び、サムネイルの表示を行う場合
情報記録再生装置１では、ＴＳアウトプットプロセッサ４１は、入力されたＨＤＤ記録用トランスポートストリームデータを通常のトランスポートストリームに変換し、ＩＥＥＥ１３９４エンコーダ４２に出力する。ＩＥＥＥ１３９４エンコーダ４２は、入力された通常のトランスポートストリームをＩＥＥＥ１３９４フォーマットのトランスポートストリームに変換し、ＩＥＥＥ１３９４出力４３を介して外部に出力する。またこれらＨＤＤドライブ１５に記録した各タイトルの代表番組情報を用いて、各タイトルの記録内容一覧、所謂、サムネイルをサムネイルＯＳＤ２７にて表示を行うことや、システムＣＰＵ３３によってメモリー部３５にてトランスポートストリームのタイトル一覧表示用ＢＭＬ（Broadcast Markup Language）データへと変換し、ＴＳアウトプットプロセッサ４１よりＩＥＥＥ１３９４エンコーダ４２を通ってＩＥＥＥ１３９４出力４３より出力することが可能である。【０１２９】
（５−３）ＤＶＤへの記録、及び、ＤＶＤからの再生を行う場合
ＤＶＤドライブ１９には、ＡＴＡＰＩなどの規格に準拠したドライブインターフェイス１８が接続されており、ドライブインターフェイス１８にはＨＤＤドライブ１５からの出力又は入力切換１２からの出力を切り換えるドライブ２入力切換１７が接続されている。このドライブ２入力切換１７は、ドライブ１入力切換１３と同様に、システムＣＰＵ３３の制御により入力及び出力の切り換えを行う。また、このＤＶＤドライブ１９は、ＨＤＤドライブ１５と同様に、予め記録されたストリームを読み出し、ドライブインターフェイス１８を介して再生切換２１に出力するとともに、入力切換１２を介して入力されたストリームをＤＶＤ２０に記録するようになっている。【０１３０】
再生切換２１は、ドライブインターフェイス１４を介してＨＤＤドライブ１５から出力されたストリームと、ドライブインターフェイス１７を介してＤＶＤドライブ１９から出力されたストリームと、の何れか一方をシステムＣＰＵ３３の制御に基づいて選択し、出力切換２２に出力する。【０１３１】
出力切換２２は、システムＣＰＵ３３の制御に基づいて、再生切換２１から入力されたストリームを選択的に切り換え、プログラムストリームをデマルチプレクサ２３に、トランスポートストリームを後述するＴＳアウトプットプロセッサ４１に出力する。【０１３２】
デマルチプレクサ２３は、出力切換２２によって選択されたプログラムストリームからＭＰＥＧ形式を有する映像データ及びＡＸＣ−３形式を有する音声データを分離し、分離した映像データおよび音声データを、それぞれ、画像デコーダ２４又は音声デコーダ２５に出力する。【０１３３】
画像デコーダ２４は、入力されたＭＰＥＧ形式の映像データを復号化して映像信号に変換し、復号化されたデジタル信号を出力切換２６に出力する。【０１３４】
音声デコーダ２５は、入力されたＡＣ−３形式の音声データを復号化して音声信号に変換し、復号されたデジタル音声信号を出力切換２６に出力する。【０１３５】
出力切換２６には、ＴＶ信号デコーダ７から出力されたデジタル映像信号及びＡ／Ｄコンバータ６から出力されたデジタル音声信号と、画像デコーダ２４及び音声デコーダ２５によって復号されたデジタル画像信号およびデジタル音声信号と、が入力されるようになっており、この出力切換２６はシステムＣＰＵ３３の制御に基づいて、入力された映像信号及び音声信号を切り換えて、映像信号をサムネイルＯＳＤ２７に、音声信号をＤ／Ａ（Digital to Analog）コンバータ３１に、それぞれ、出力する。【０１３６】
サムネイルＯＳＤ２７は、入力された映像信号に対して必要な文字情報等を重畳し、ＴＶ信号エンコーダ２８に出力する。【０１３７】
ＴＶ信号エンコーダ２８は、入力された映像信号を外部のモニタなどに表示させるため、ＴＶ用の映像フォーマットに変換し、Ｄ／Ａコンバータ２９に出力する。【０１３８】
Ｄ／Ａコンバータ２９は、入力されたＴＶ用デジタル映像信号をアナログ信号に変換し、映像出力３０を介して外部に出力する。【０１３９】
Ｄ／Ａコンバータ３１は、入力されたデジタル音声信号をアナログ信号に変換し、音声出力３２を介して外部に出力する。【０１４０】
システムＣＰＵ３３は、キー入力ポート、表示部出力ポート等の各種入出力ポートを含み、ＨＤＤ１６の再生及び記録、又はＤＶＤ２０の再生及び記録の各処理のための全般的な機能を総括的に制御する。尚、システムＣＰＵ３３は、ＨＤＤ１６の再生及び記録、又はＤＶＤ２０の再生及び記録の際に、メモリー部３５に格納される制御プログラムを読み出して各処理を実行し、メモリー部３５に処理中のデータを一時的に保持するようになっている。【０１４１】
操作部３４は、各種確認ボタンおよび数字キー、上下左右カーソルキー等の多数のキーから構成され、キー操作に従って、又は、リモコン受光部３６から出力された所定の信号をシステムＣＰＵ３３に出力する。【０１４２】
リモコン受光部３６は、リモコン３７から出射された赤外線光などの光ビームを受光し、所定の信号に変換して操作部３４に出力する。【０１４３】
リモコン３７は、操作部３４と同様に、各種確認ボタンおよび数字キー、上下左右カーソルキー等の多数のキーから構成されている。【０１４４】
（５−４）ＤＶＤからタイトルの削除を行う場合
リモコン３７からの指示がＤＶＤに記録されているタイトルの削除であった場合に、システムＣＰＵ３３は指定のタイトルがプログラムストリームかトランスポートストリームかを識別し、必要に応じてＤＶＤドライブ１９から、ＰＳ管理情報１２０ａ及びＴＳ管理情報１３０ａを夫々読み取り、ＰＳ管理情報１２０ａ及びＴＳ管理情報１３０ａから夫々指定されたタイトルの記録領域を空き領域として設定し、空き領域管理情報１１０ａを更新する。最後に、情報記録再生装置１が終了される際にシステムＣＰＵ３３は、保持している空き領域管理情報１１０ａをメモリー部３５からＤＶＤドライブ１９へ書きこみ指示を送る。【０１４５】
（本実施例の作用効果の検討）
次に、図８を参照して、本発明の情報記録媒体の実施例に係るハードディスク（ＨＤ）やＤＶＤ等において、構築されるデータ構造の作用効果について検討する。ここに、図８は、比較例に係るハードディスク（ＨＤ）やＤＶＤ等において、構築されるデータ構造を図式的に示した概念図である。【０１４６】
仮に、図８に示されるように、ハードディスク（ＨＤ）やＤＶＤ等の記録領域が、パーティション４００によって、ＰＳ用記録領域５００と、ＴＳ用記録領域６００とに分割する場合、このパーティションによって、ＰＳ形式のコンテンツ５１０及びＴＳ形式のコンテンツ６１０に夫々対応した記録領域の大きさを最初に設定する必要性が生じてしまう。【０１４７】
更に、ＰＳ用記録領域５００において、ＰＳ形式の動画等のコンテンツが未記録状態である空き領域のアドレス情報等の配置情報を管理するＰＳ用空き領域管理情報５２０ｂが、ＰＳ形式のコンテンツが記録済みである領域のアドレス情報等の配置情報を管理するＰＳ管理情報５２０ａに含まれて管理されてしまう。ＴＳ用記録領域６００において、ＴＳ形式のコンテンツが未記録状態である空き領域の配置情報を管理するＴＳ用空き領域管理情報６３０ｂが、ＴＳ形式のコンテンツが記録済みである領域の配置情報を管理するＴＳ管理情報６３０ａに含まれて管理されてしまう。よって、最初に設定した記録領域の大きさを、これら２種類の動画の記録の後に、変更する場合、記録されている全ての動画を消去するか、或いは、夫々の記録領域を再構築する必要が生じてしまう。仮に、動的にパーティションを設定する特許文献１においても、複数の区分けされた記録領域の大きさを変更する場合、パーティションから空き領域が連続しているという条件が必要であった。また、パーティションが存在した場合、一方の形式（例えば、ＴＳ形式）のコンテンツが記録されている記録領域が、全て記録済みの状態となった場合、他方の形式（例えば、ＰＳ形式）のコンテンツが記録されている記録領域に未記録状態の領域がある、言い換えると、ＨＤやＤＶＤ等の情報記録媒体に空き領域があるにも関わらず一方の形式（ＴＳ形式）のコンテンツの記録をこれ以上行うことができなってしまう。情報記録媒体の記録領域を効率的に利用することができなってしまう。【０１４８】
これに対して、本実施例によれば、前述した図２に示されるように、例えば、分散して偏在している空き領域等に関する全ての空き領域の配置情報を管理する空き領域管理情報１１０ａは、ＰＳ形式のコンテンツ及びＴＳ形式のコンテンツを記録する場合において、夫々共有される。と共に、複数の形式の記録情報を夫々記録するための記録領域を静的又は動的に区分けするパーティション、所謂、仕切りは設定されない。【０１４９】
よって、空き領域が分散して偏在する、又は、連続して存在しているに関係なく全ての空き領域に対して、例えば、ＰＳ形式のコンテンツ、又は、ＴＳ形式のコンテンツ等の任意の形式の記録情報を、特定の空き領域を指定することなく自由に記録することが可能である。【０１５０】
その結果、本実施例によれば、例えば、ＨＤやＤＶＤ等の情報記録媒体に、複数の形式のコンテンツ等の記録情報を記録する場合に、当該情報記録媒体の記録領域をより効率的に利用するが可能となる。【０１５１】
上述した実施例では、ＰＳ形式及びＴＳ形式のコンテンツ等の記録情報の記録について説明したが、これら２種類に加えて、例えば、ＭＰＥＧ２やＭＰＥＧ４の規格に準拠したインターネット経由で放送されるコンテンツ等を含む３種類以上の形式の記録情報を、記録することが可能である。【０１５２】
上述した実施例では、例えば、ＨＤ等の単一の情報記録媒体において、ＰＳ形式及びＴＳ形式のコンテンツ等の記録情報が記録済みである領域の配置情報、並びに、空き領域の配置情報を夫々管理する各種管理情報が存在している。しかし、本発明に係る各種管理情報は、複数の情報記録媒体に亘って記録されている記録情報が記録済みである領域の配置情報、並びに、空き領域の配置情報を夫々管理することが可能である。【０１５３】
上述した実施例では、受信される信号として、地上波デジタル放送や、アナログ放送を例にとって説明したが、ＢＳ（Broadcasting Satellite）や、ＣＳ（Communication Satellite）や、インターネット等を介して、放送番組を配信させるすべての放送形態に適用可能である。【０１５４】
また、上述の実施例では、情報記録装置の一例としてＨＤＤ付きのＤＶＤレコーダ（プレーヤ）について説明したが、本発明は、磁気ディスクや、光ディスクのレコーダ（プレーヤ）に限られるものではなく、他の各種記録媒体並びにそのレコーダ（プレーヤ）にも適用可能である。【０１５５】
特に、ＨＤＤ等の情報記録媒体を搭載して複数の論理フォーマットを記録すると共に、記録領域の変更を動的に変更可能なＡＶ機器やゲーム機器にも適用可能である。【０１５６】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、情報再生装置及び方法、並びに、記録制御用及び再生制御用のコンピュータプログラムもまた本発明の技術的範囲に含まれるものである。
【産業上の利用可能性】
【０１５７】
本発明に係る情報記録媒体、情報記録装置及び方法、情報再生装置及び方法、並びにコンピュータプログラムは、例えば、ＤＶＤ等の高密度光ディスクに利用可能であり、更にＤＶＤレコーダやＤＶＤプレーヤ等の情報記録再生装置に利用可能である。また、例えば民生用或いは業務用の各種コンピュータ機器に搭載される又は各種コンピュータ機器に接続可能な情報記録再生装置等にも利用可能である。
【図１】
0004807703.tif 000002
【図２】
0004807703.tif 000003
【図３】
0004807703.tif 000004
【図４】
0004807703.tif 000005
【図５】
0004807703.tif 000006
【図６】
0004807703.tif 000007
【図７】
0004807703.tif 000008
【図８】
0004807703.tif 000009